(57)【要約】【課題】機器を取付板に取り付けるための係止部材が、機器の背面に設けられる場合、ユーザが機器側の係止部材の位置を確認できず、取付板に設けられている取付板側の係止部材に機器側の係止部材を係止させづらい場合がある。【解決手段】機器が取り付けられる取付板は、機器の背面に対向する位置に配置される主板と、機器の側面に対向する位置に配置される側板と、主板に設けられ、機器の背面に設けられている機器側係止部材が係止される取付板側係止部材と、側板に設けられ、機器が取付板に取り付けられる場合に、機器の側面に設けられる機器側ガイド構造と協働することにより機器側係止部材を取付板側係止部材にガイドする取付板側ガイド構造とを備える。【選択図】図１
2014086460.tif 000002
【特許請求の範囲】
【請求項１】
機器が取り付けられる取付板であって、
前記機器の背面に対向する位置に配置される主板と、
前記機器の側面に対向する位置に配置される側板と、
前記主板に設けられ、前記機器の前記背面に設けられている機器側係止部材が係止される取付板側係止部材と、
前記側板に設けられ、前記機器が前記取付板に取り付けられる場合に、前記機器の側面に設けられる機器側ガイド構造と協働することにより前記機器側係止部材を前記取付板側係止部材にガイドする取付板側ガイド構造と
を備える、取付板。
【請求項２】
前記機器側ガイド構造および前記取付板側ガイド構造は、一方がガイドピンであり、他方がガイド穴である、請求項１に記載の取付板。
【請求項３】
前記ガイド穴は、前記機器側係止部材を前記主板の方向にガイドする第１ガイド穴と、前記第１ガイド穴から延長し、前記機器側係止部材を前記主板に沿う方向にガイドする第２ガイド穴とを有する、請求項２に記載の取付板。
【請求項４】
前記第１ガイド穴は、前記主板に垂直な方向に沿って形成されており、
前記第２ガイド穴は、前記主板に平行な方向に沿って形成されている、請求項３に記載の取付板。
【請求項５】
前記第１ガイド穴は、前記ガイドピンが挿入される側の一端から前記第２ガイド穴側の他端に向かって幅狭になるテーパ状に形成されている、請求項３または請求項４に記載の取付板。
【請求項６】
前記機器側ガイド構造が前記ガイドピンであり、前記取付板側ガイド構造が前記ガイド穴であり、
前記第１ガイド穴の下面は、水平方向に延伸しており、前記第１ガイド穴の上面は、前記一端から前記他端に向かって下方に傾斜して延伸している、請求項５に記載の取付板。
【請求項７】
前記ガイド穴は、前記ガイドピンの前記第１ガイド穴から前記第２ガイド穴への進入を制限する進入制限部を有する、請求項３から請求項６のいずれか１つに記載の取付板。
【請求項８】
前記進入制限部は、前記第１ガイド穴と前記第２ガイド穴との接続部分に形成された突起部を有する、請求項７に記載の取付板。
【請求項９】
前記主板から立設している庇板
をさらに備える、請求項１から請求項８のいずれか１つに記載の取付板。
【請求項１０】
取付板に取り付けられる機器であって、
前記取付板は、前記機器の背面に対向する位置に配置される主板と、前記機器の側面に対向する位置に配置される側板と、前記主板に設けられる取付板側係止部材と、前記側板に設けられる取付板側ガイド構造とを備え、
前記機器は、
前記機器の前記背面に設けられ、前記取付板側係止部材に係止される機器側係止部材と、
前記側板に対向する前記側面に設けられ、前記機器が前記取付板に取り付けられる場合に、前記取付板側ガイド構造と協働することにより前記機器側係止部材を前記取付板側係止部材にガイドする機器側ガイド構造と
を備える、機器。
【請求項１１】
筐体と、
前記筐体からの熱を放熱するヒートシンクと、
前記筐体とで前記ヒートシンクを挟持して固定する固定板と
をさらに備え、
前記固定板は、前記ヒートシンクの一部を外部に露出させる開口、前記機器側係止部材、及び前記機器側ガイド構造を有する、請求項１０に記載の機器。
【請求項１２】
前記固定板は、前記機器の背面側に立設している柱部をさらに有し、
前記機器側係止部材は、前記柱部に支持される係止用プレートを有し、
前記係止用プレートは、前記取付板側係止部材に係止される、請求項１１に記載の機器。
【請求項１３】
前記機器側ガイド構造は、前記柱部に設けられている、請求項１２に記載の機器。
【請求項１４】
前記筐体は、前記機器の背面に、ケーブルが挿入される挿入口を有し、
前記固定板は、前記挿入口の上方に立設している庇板を有する、
請求項１１から請求項１３のいずれか１つに記載の機器。
【請求項１５】
請求項１から請求項９のいずれか１つに記載の取付板と、
請求項１０から請求項１４のいずれか１つに記載の機器と
を備えるシステム。
【発明の詳細な説明】
【技術分野】
【０００１】
本発明は、機器が取り付けられる取付板、機器、およびシステムに関する。
【背景技術】
【０００２】
パワーコンディショナなどの機器は、取付板を介して壁面などに固定される場合がある（例えば、特許文献１参照）。
特許文献１  特開２００４−０３１４８１
【発明の概要】
【発明が解決しようとする課題】
【０００３】
機器を取付板に取り付けるための係止部材が、機器の背面に設けられる場合、ユーザが機器側の係止部材の位置を確認できず、取付板に設けられている取付板側の係止部材に機器側の係止部材を係止させづらい場合がある。
【課題を解決するための手段】
【０００４】
本発明に係る取付板は、機器が取り付けられる取付板であって、機器の背面に対向する位置に配置される主板と、機器の側面に対向する位置に配置される側板と、主板に設けられ、機器の背面に設けられている機器側係止部材が係止される取付板側係止部材と、側板に設けられ、機器が取付板に取り付けられる場合に、機器の側面に設けられる機器側ガイド構造と協働することにより機器側係止部材を取付板側係止部材にガイドする取付板側ガイド構造とを備える。
【０００５】
上記取付板において、機器側ガイド構造および取付板側ガイド構造は、一方がガイドピンであり、他方がガイド穴でもよい。上記取付板において、ガイド穴は、機器側係止部材を主板の方向にガイドする第１ガイド穴と、第１ガイド穴から延長し、機器側係止部材を主板に沿う方向にガイドする第２ガイド穴とを有してもよい。上記取付板において、第１ガイド穴は、主板に垂直な方向に沿って形成されており、第２ガイド穴は、主板に平行な方向に沿って形成されていてもよい。
【０００６】
上記取付板において、第１ガイド穴は、ガイドピンが挿入される側の一端から第２ガイド穴側の他端に向かって幅狭になるテーパ状に形成されていてもよい。上記取付板において、機器側ガイド構造がガイドピンであり、取付板側ガイド構造がガイド穴であり、第１ガイド穴の下面は、水平方向に延伸しており、第１ガイド穴の上面は、一端から他端に向かって下方に傾斜して延伸していてもよい。
【０００７】
上記取付板において、ガイド穴は、ガイドピンの第１ガイド穴から第２ガイド穴への進入を制限する進入制限部を有してもよい。上記取付板において、進入制限部は、第１ガイド穴と前記第２ガイド穴との接続部分に形成された突起部を有してもよい。上記取付板は、主板から立設している庇板をさらに備えてもよい。
【０００８】
本発明に係る機器は、取付板に取り付けられる機器であって、取付板は、機器の背面に対向する位置に配置される主板と、機器の側面に対向する位置に配置される側板と、主板に設けられる取付板側係止部材と、側板に設けられる取付板側ガイド構造とを備え、機器は、機器の背面に設けられ、取付板側係止部材に係止される機器側係止部材と、側板に対向する側面に設けられ、機器が取付板に取り付けられる場合に、取付板側ガイド構造と協働することにより機器側係止部材を取付板側係止部材にガイドする機器側ガイド構造とを備える。
【０００９】
上記機器は、筐体と、筐体からの熱を放熱するヒートシンクと、筐体とでヒートシンクを挟持して固定する固定板とをさらに備え、固定板は、ヒートシンクの一部を外部に露出させる開口、機器側係止部材、及び機器側ガイド構造を有してもよい。
【００１０】
上記機器において、固定板は、前記機器の背面側に立設している柱部をさらに有し、機器側係止部材は、柱部に支持される係止用プレートを有し、係止用プレートは、取付板側係止部材に係止されてもよい。機器側ガイド構造は、柱部に設けられていてもよい。
【００１１】
上記機器において、筐体は、機器の背面に、ケーブルが挿入される挿入口を有し、固定板は、挿入口の上方に立設している庇板を有してもよい。
【００１２】
なお、上記の発明の概要は、本発明の必要な特徴の全てを列挙したものではない。また、これらの特徴群のサブコンビネーションもまた、発明となりうる。
【図面の簡単な説明】
【００１３】
【図１】パワーコンディショナを背面側から見た分解斜視図である。
【図２】パワーコンディショナを正面側から見た分解斜視図である。
【図３】パワーコンディショナを正面側から見た斜視図である。
【図４】固定板の正面側から見た斜視図である。
【図５】固定板の背面側から見た斜視図である。
【図６】パワーコンディショナが備える取付板を正面側から見た斜視図である。
【図７】取付板の側面に設けられたガイド穴の拡大斜視図である。
【図８】ガイド穴およびガイドピンの拡大斜視図である。
【図９】ガイド穴およびガイドピンの拡大斜視図である。
【図１０】凹部および架橋部を背面側から見た拡大斜視図である。
【発明を実施するための形態】
【００１４】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１５】
図１は、パワーコンディショナ１０の背面側から見た分解斜視図である。パワーコンディショナ１０は、太陽電池、燃料電池などの電力源からの直流電力を交流電力に変換する。パワーコンディショナ１０は、筐体１００、ヒートシンク１５０、固定板２００、および取付板３００を備える。パワーコンディショナ１０は、取付板３００を介して住居の外壁などに固定される。パワーコンディショナ１０は、電子機器、電気機器などの機器の一例である。
【００１６】
筐体１００は、正面側に開口を有する収容箱１０２と、収容箱１０２の開口を覆うカバー１０４とを有する。収容箱１０２は、第１フィルタ回路、インバータ回路および第２フィルタ回路を収容する。第１フィルタ回路は、電力源からの直流電力のノイズを低減する。インバータ回路は、第１フィルタ回路から出力された直流電力を交流電力に変換する。第２フィルタ回路は、インバータ回路から出力された交流電力のノイズを低減する。
【００１７】
収容箱１０２は、背面１１４に隣接する側面１１２と背面１１４との角部１１３に、手差し込み用の凹部１０６を有する。手差し込み用の凹部１０６は、ユーザがパワーコンディショナ１０を持ち運ぶ場合に使用される。
【００１８】
ヒートシンク１５０は、収容箱１０２の背面１１４に設けられる。ヒートシンク１５０は、収容箱１０２内の発熱体が発生させる熱を放熱する。発熱体は、第１フィルタ回路、インバータ回路および第２フィルタ回路を構成するスイッチング素子、ダイオードなどの半導体素子を含む。ヒートシンク１５０は、複数の放熱フィンを含む放熱フィン部１５２、および放熱フィン部１５２の周囲に設けられる被固定部１５４を有する。
【００１９】
固定板２００は、筐体１００とともにヒートシンク１５０を狭持して固定する。固定板２００は、ヒートシンク１５０の一部を外部に露出させる開口２０２を有する。固定板２００は、筐体１００とともに被固定部１５４を挟持することにより、ヒートシンク１５０を固定する。固定板２００と筐体１００とで被固定部１５４を狭持している状態において、放熱フィン部１５２は、開口２０２から外部に突出している。
【００２０】
ヒートシンク１５０は、被固定部１５４に複数の貫通孔１５６を有する。ヒートシンク１５０は、固定板２００に対して位置決めをするための複数の位置決め穴１５７をさらに有する。筐体１００は、複数の貫通孔１５６に対向する位置に複数の貫通孔１２０を有する。固定板２００は、複数の貫通孔１５６および複数の貫通孔１２０に対向する位置に複数の雌螺子２０４を有する。貫通孔１５６および貫通孔１２０は、螺子切りされていない単なる穴でもよく、螺子切りされている穴でもよい。そして、貫通孔１５６および貫通孔１２０を挿通する螺子部材を用いて、筐体１００と固定板２００とでヒートシンク１５０を挟持する。より具体的には、筐体１００の内側から貫通孔１２０および貫通孔１５６を介して、螺子部材である雄螺子が雌螺子２０４に螺合されることにより、筐体１００と固定板２００とでヒートシンク１５０を挟持する。
【００２１】
ここで、固定板２００および雌螺子２０４は、ヒートシンク１５０より、硬質な材料で構成されている。固定板２００および雌螺子２０４は、比較的硬質な材料、例えば鉄などで構成されており、ヒートシンク１５０は、例えば、比較的軟質な材料、例えばアルミニウムなどで構成されている。したがって、パワーコンディショナ１０に対して振動または衝撃が加えられた場合でも、固定板２００および雌螺子２０４は、変形しにくい。また、ヒートシンク１５０は、雄螺子で直接固定されていないので、パワーコンディショナ１０に対して振動または衝撃が加えられた場合でも、雄螺子との接触によって変形することがない。
【００２２】
図２は、本実施形態に係るパワーコンディショナ１０の正面側から見た分解斜視図である。収容箱１０２は、収容箱１０２内にケーブルを挿入するための挿入口１１０を背面に有する。また、固定板２００の正面には、ヒートシンク１５０が有する位置決め穴１５７に対応する位置に複数の突起部２０５が形成されている。これより、ヒートシンク１５０を固定板２００に対して正確に位置決めすることができる。また、パワーコンディショナ１０に対して振動または衝撃が加えられたとしても、位置決め穴１５７と貫通孔１５６とに振動または衝撃による力が分散される。よって、振動または衝撃により、位置決め穴１５７および貫通孔１５６が変形することを抑制できる。
【００２３】
図３は、パワーコンディショナ１０の正面側から見た斜視図である。固定板２００、ヒートシンク、収容箱１０２およびカバー１０４は、図１および図２に示す配置で組み合わされる。固定板２００とともにヒートシンク１５０を狭持している筐体１００が、取付板３００に取り付けられる。
【００２４】
図４は、パワーコンディショナ１０が備える固定板２００の正面側から見た斜視図である。図５は、固定板２００の背面側から見た斜視図である。また、図４および図５に示すように、固定板２００は、ヒートシンク１５０が有するそれぞれの放熱フィン部１５２に対向する位置に開口２０２を有する。固定板２００が収容箱１０２の背面に固定される場合に、それぞれの放熱フィン部１５２がそれぞれの開口２０２に挿入され、放熱フィン部１５２が開口２０２から露出する。
【００２５】
固定板２００の背面には、開口２０２を挟んで複数の柱部２３０が立設している。複数の柱部２３０の間には、係止用プレート２３２が配置されている。係止用プレート２３２は、複数の柱部２３０に支持され、複数の柱部２３０の端部に固定されている。係止用プレート２３２は、取付板３００が有する取付板側係止部材に係止される。パワーコンディショナ１０は、取付板側係止部材に係止用プレート２３２が係止されることにより、取付板３００に取り付けられる。
【００２６】
固定板２００の背面には、中央の開口２０２を挟んで２つの柱部２３４がさらに立設している。２つの柱部２３４の端部には、固定板２００の変形を防止するための補強板として機能するプレート２３６が固定されている。また、固定板２００は、収容箱１０２に設けられた挿入口１１０の上方に配置される固定板側庇板２１０をさらに有する。
【００２７】
また、複数の柱部２３０のうち、パワーコンディショナ１０の両側面側に配置される柱部２３０の外面には、係止用プレート２３２を取付板側係止部材３３０にガイドするためのガイドピン２２０が設けられている。さらに、固定板２００は、収容箱１０２に設けられた手差し込み用の凹部１０６に架かる把持用の架橋部２４０を有する。ユーザは、パワーコンディショナ１０の背面側から凹部１０６に手を差し込んで、架橋部２４０を把持することで、パワーコンディショナ１０を持ち運ぶことができる。
【００２８】
図６は、パワーコンディショナ１０が備える取付板３００の正面側から見た斜視図である。取付板３００は、外壁などに取り付けられる主板３０２を有する。さらに、取付板３００は、副板として、側板３０４、天板３０６、および底板３０８を有する。主板３０２は、パワーコンディショナ１０の背面に対向する位置に配置される。側板３０４は、パワーコンディショナ１０の側面に対向する位置に配置される。天板３０６は、パワーコンディショナ１０の天面に対向する位置に配置される。底板３０８は、パワーコンディショナ１０の底面に対向する位置に配置される。天板３０６および底板３０８は、放熱フィン部１５２に対向する位置に網目状の網部３４０および３４２を有する。網目状に形成されることで、放熱フィン部１５２に異物が混入することを防止できる。
【００２９】
取付板３００は、主板３０２に設けられた取付板側係止部材３３０をさらに有する。取付板側係止部材３３０には、固定板２００に設けられた機器側係止部材である係止用プレート２３２が係止される。取付板側係止部材３３０は、複数のフック部３３２を有し、係止用プレート２３２は、複数のフック部３３２に係止される。
【００３０】
また、取付板３００は、側板３０４に設けられる取付板側ガイド構造としてガイド穴３２０を有する。ガイド穴３２０は、パワーコンディショナ１０が取付板３００に取り付けられる場合に、パワーコンディショナ１０の側面に設けられた機器側のガイド構造と協働することにより、機器側係止部材を取付板側係止部材３３０にガイドする。より具体的には、ガイド穴３２０は、固定板２００の柱部２３０に設けられるガイドピン２２０と協働することにより係止用プレート２３２を取付板側係止部材３３０にガイドする。係止用プレート２３２は、パワーコンディショナ１０の背面に設けられている。したがって、パワーコンディショナ１０を取付板３００に取り付ける場合に、ユーザは、係止用プレート２３２を見にくい。したがって、ユーザは、係止用プレート２３２を取付板側係止部材３３０に係止させづらい。そこで、ガイド穴３２０とガイドピン２２０とが協働して係止用プレート２３２を取付板側係止部材３３０にガイドすることにより、ユーザが、パワーコンディショナ１０を取付板３００に取り付けやすくできる。
【００３１】
取付板３００は、収容箱１０２に設けられた挿入口１１０の上方に配置される取付板側庇板３１０をさらに有する。取付板側庇板３１０は、固定板２００が有する固定板側庇板２１０と鉛直方向において重なる位置に設けられている。固定板側庇板２１０および取付板側庇板は、互いに向かって立設し、鉛直方向において重なる位置に配置される。
【００３２】
固定板２００および取付板３００のいずれか一方の板のみに庇板を設けた場合、庇板の端部と、庇板が設けられていない他方の板との間に隙間が生じる場合がある。このような隙間があると、その隙間からヒートシンク１５０の放熱フィン部１５２を通過して流れる雨水が、挿入口１１０に配置されているケーブルに滴り落ちてくるおそれがある。雨水は、ケーブルを伝って挿入口１１０から筐体１００内に侵入してくるおそれがある。
【００３３】
これに対して、固定板２００および取付板３００の両方に庇板が設けられている場合、一方の庇板と他方の板との間に隙間があったとしても、他方の板に設けられた他方の庇板により、その隙間から滴り落ちた雨水がケーブルにかかることを防止できる。よって、固定板２００および取付板３００の両方に庇板が設けられることにより、雨水が、ケーブルを伝って挿入口１１０から筐体１００内に侵入してくることを防止できる。
【００３４】
図７は、取付板３００の側板３０４に設けられたガイド穴３２０の拡大斜視図である。ガイド穴３２０は、第１ガイド穴３２１および第２ガイド穴３２２を有する。第１ガイド穴３２１は、係止用プレート２３２を主板３０２の方向にガイドする。第２ガイド穴３２２は、第１ガイド穴３２１から延長し、係止用プレート２３２を主板３０２に沿う方向にガイドする。第１ガイド穴３２１は、主板３０２に垂直な方向に沿って形成されている。第２ガイド穴３２２は、主板３０２に平行な方向に沿って形成されている。
【００３５】
ここで、垂直とは、完全に垂直であってもよく、実質的に垂直であってもよい。実質的に垂直とは、係止用プレート２３２を主板３０２の方向にガイドするという目的が達成できる程度の角度であってよい。また、平行とは、完全に平行であってもよく、実質的に平行であってもよい。実質的に平行とは、係止用プレート２３２を下方に移動させて複数のフック部３３２に係止させるという目的が達成できる程度の角度であってよい。
【００３６】
また、第１ガイド穴３２１は、ガイドピン２２０が挿入される側の一端から第２ガイド穴３２２側の他端に向かって幅狭になるテーパ状に形成されている。このような形状にすることで、ユーザが、ガイドピン２２０をガイド穴３２０に挿入しやすくできる。
【００３７】
さらに、第１ガイド穴３２１の鉛直方向の下側面３２６は、水平方向に延伸している。第１ガイド穴３２１の鉛直方向の上側面３２４は、一端から他端に向かって下方に傾斜して延伸している。
【００３８】
図８は、機器側係止部材である係止用プレート２３２を取付板側係止部材３３０にガイドする工程の途中の状態におけるガイド穴３２０およびガイドピン２２０の拡大斜視図である。上記のように、下側面３２６を水平方向に延伸させることで、係止用プレート２３２を取付板側係止部材３３０にガイドする工程の途中において、ガイドピン２２０は下側面３２６に安定して支持される。よって、筐体１００を取付板３００に対して安定した状態で仮置きすることができる。
【００３９】
図９は、係止用プレート２３２が取付板側係止部材３３０に係止された状態におけるガイド穴３２０およびガイドピン２２０の拡大斜視図である。上記の通り、上側面３２４が一端から他端に向かって下方に傾斜していることで、筐体１００が取付板３００に取り付けられた状態において、ガイド穴３２０を内面側から固定板２００の柱部２３０で塞ぐことができる。また、筐体１００が取付板３００に取り付けられた状態において、ガイドピン２２０は、第２ガイド穴３２２の第１ガイド穴３２１と反対側の端部３２３に接触していない。これにより、係止用プレート２３２を複数のフック部３３２に確実に係止させることができる。
【００４０】
なお、水平とは、完全に水平であってもよく、実質的に水平であってもよい。実質的に水平とは、筐体１００を取付板３００に対して安定した状態で仮置きできるという目的が達成できる程度の角度であってよい。
【００４１】
また、ガイド穴３２０は、ガイドピン２２０の第１ガイド穴３２１から第２ガイド穴３２２への進入を制限する進入制限部３２８を有する。進入制限部３２８は、第１ガイド穴３２１と第２ガイド穴３２２との接続部分の下面側に形成された突起部を有する。進入制限部３２８がない場合、ガイドピン２２０が第１ガイド穴３２１と第２ガイド穴３２２との接続部分に達したことをユーザが気づきにくい。ユーザが気づかなかった場合、ガイドピン２２０が第１ガイド穴３２１から第２ガイド穴３２２に進入したときに、ユーザが筐体１００を確実に保持できずに、筐体１００が鉛直方向に落下するおそれがある。進入制限部３２８を設けることで、ユーザは、ガイドピン２２０が第１ガイド穴３２１と第２ガイド穴３２２との接続部分に達したことを認識できる。よって、ガイドピン２２０が第１ガイド穴３２１から第２ガイド穴３２２に進入するときに、ユーザが筐体１００を確実に保持できずに、筐体１００が鉛直方向に落下することを防止できる。
【００４２】
図１０は、収容箱１０２に設けられた手差し込み用の凹部１０６および固定板２００に設けられた把持用の架橋部２４０を背面側から見た拡大斜視図である。ユーザは、図に示す矢印方向から、凹部１０６内に手を差し込み、架橋部２４０を把持できる。ユーザは、凹部１０６だけでパワーコンディショナ１０を支えるよりも、安定してパワーコンディショナ１０を持ち運ぶことができる。また、固定板２００は、鉄などの比較的硬質な材料で構成することができるので、パワーコンディショナ１０を持ち運ぶ場合に、筐体１００が変形することも防止できる。
【００４３】
なお、上記の実施形態では、固定板２００に雌螺子２０４を形成する例について説明した。しかし、雌螺子は、筐体１００に形成してもよい。また、雌螺子は、筐体１００、ヒートシンク１５０、および固定板２００のそれぞれに形成してもよい。あるいは、筐体１００、ヒートシンク１５０、および固定板２００のそれぞれに螺子山が形成されていない貫通孔を形成し、ボルトとナットとにより、ヒートシンク１５０を狭持してもよい。また、ヒートシンク１５０は、放熱フィン部１５２を有していない放熱板でもよい。
【００４４】
加えて、上記の実施形態では、固定板２００にガイドピン２２０を設け、取付板３００にガイド穴３２０を設ける例について説明した。しかし、固定板２００にガイド穴を設け、取付板３００にガイドピンを設けてもよい。この場合、第１ガイド穴の進入口は、固定板２００の背面側に形成され、第２ガイド穴は、第１ガイド穴から鉛直方向上方に延長している。そして、第１ガイド穴の鉛直方向の上側面が水平方向に延伸してもよい。さらに、第１ガイド穴の鉛直方向の下側面は、第２ガイド穴との接続部分である一端からガイドピンの進入口である他端に向かって下方に傾斜して延伸してもよい。
【００４５】
また、上記の実施形態では、取付板側係止部材３３０がフックを有する形態について説明した。しかし、取付板側係止部材３３０と固定板側係止部材とが互いに係止される構造であれば、他の構造でも構わない。例えば、固定板側係止部材である係止用プレート２３２がフックを有し、取付板側係止部材３３０がフックを引掛ける取付穴を有してもよい。
【００４６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４８】
１０  パワーコンディショナ
１００  筐体
１０２  収容箱
１０４  カバー
１２０  貫通孔
１５０  ヒートシンク
１５２  放熱フィン部
１５４  被固定部
１５６  貫通孔
２００  固定板
２０２  開口
２０４  雌螺子
２１０  固定板側庇板
２２０  ガイドピン
２３０  柱部
２３２  係止用プレート
３００  取付板
３０２  主板
３０４  側板
３２０  ガイド穴
３２１  第１ガイド穴
３２２  第２ガイド穴
３２８  進入制限部
３３０  取付板側係止部材
３３２  フック部
【図１】
2014086460.tif 000003
【図２】
2014086460.tif 000004
【図３】
2014086460.tif 000005
【図４】
2014086460.tif 000006
【図５】
2014086460.tif 000007
【図６】
2014086460.tif 000008
【図７】
2014086460.tif 000009
【図８】
2014086460.tif 000010
【図９】
2014086460.tif 000011
【図１０】
2014086460.tif 000012